【手続補正書】
【提出日】平成18年11月20日(2006.11.20)
【手続補正１】
【補正対象書類名】特許請求の範囲
【補正対象項目名】全文
【補正方法】変更
【補正の内容】
【特許請求の範囲】
【請求項１】
誘電体フィルムと、
前記誘電体フィルム上に配置される少なくとも１つのアンテナ素子と、
前記誘電体フィルム上に配置され、前記アンテナ素子に接続する給電端子と、
前記給電素子の周囲に設けられ、前記給電素子に接続されるコネクタの接続位置を示すマークと、を備えることを特徴とするフィルムアンテナ。
【請求項２】
前記マークは、前記アンテナ素子及び給電端子を構成する導電性部材と同じ導電性部材で形成されることを特徴とする請求項１に記載のフィルムアンテナ。
【請求項３】
前記マークは、短い線、短い線の集合体、及び複数の小孔の何れかで構成されていることを特徴とする請求項１に記載のフィルムアンテナ。
【請求項４】
前記マークは、前記コネクタが前記給電端子に正しく接続されると、前記コネクタの外形を囲む位置に等しく露出するように配置することを特徴とする請求項１から３の何れか１項に記載のフィルムアンテナ。
【請求項５】
前記マークは、前記コネクタが前記給電端子に正しく接続されると、前記コネクタによって全てが隠れるように配置することを特徴とする請求項１から３の何れか１項に記載のフィルムアンテナ。
【請求項６】
誘電体フィルムと、
前記誘電体フィルム上に配置される少なくとも１つのアンテナ素子と、
前記誘電体フィルム上に配置され、前記アンテナ素子に接続する給電端子と、
前記給電素子を保護する保護シートとを備え、
前記保護シートは、前記給電素子に接続されるコネクタの位置合わせ用の切り抜き部を備えることを特徴とするフィルムアンテナ。
【請求項７】
前記保護シートは、前記コネクタを前記給電端子に接続する際に、前記コネクタの位置決めガイドとなる程度の厚さを有することを特徴とする請求項６に記載のフィルムアンテナ。
【請求項８】
請求項１から７の何れか１項に記載のフィルムアンテナと、
前記給電端子に接続されるコネクタと、
前記コネクタに信号を供給、又は前記コネクタからの信号を外部に出力するケーブルと、を備えることを特徴とするアンテナ装置。
【請求項９】
請求項８に記載のアンテナ装置と、
前記ケーブルに信号を供給、又は前記ケーブルからの信号を処理する処理手段とを備える処理装置。
【請求項１０】
前記アンテナが少なくともＧＰＳアンテナを含み、
前記処理装置が、前記コネクタ、前記アンテナケーブルを介して入力されるＧＰＳ衛星からの信号に基づき、位置を検出して路線案内を行うナビゲーション部を含むことを特徴とする請求項９に記載の処理装置。
【手続補正２】
【補正対象書類名】明細書
【補正対象項目名】発明の名称
【補正方法】変更
【補正の内容】
【発明の名称】フィルムアンテナ、アンテナ装置、及び処理装置
【手続補正３】
【補正対象書類名】明細書
【補正対象項目名】０００１
【補正方法】変更
【補正の内容】
【０００１】
本発明はフィルムアンテナ、アンテナ装置、及び処理装置に関し、特に、自動車等の移動体の透明な窓ガラス等に貼り付けて使用されるフィルムアンテナ、アンテナ装置、及び処理装置に関する。
【手続補正４】
【補正対象書類名】明細書
【補正対象項目名】０００９
【補正方法】変更
【補正の内容】
【０００９】
そこで、本発明は、フィルム上にアンテナが組み込まれ、このアンテナの給電端子に、ナビゲーション装置にアンテナ信号を導くケーブルの先端に設けられたコネクタが接続するフィルムアンテナにおいて、コネクタを正確にアンテナの給電端子に接続することができるフィルムアンテナ、アンテナ装置、及び処理装置を提供することを目的としている。
【手続補正５】
【補正対象書類名】明細書
【補正対象項目名】００１０
【補正方法】変更
【補正の内容】
【００１０】
前記目的を達成する本発明のアンテナ、アンテナ装置、及び処理装置は、以下の第１から第４の形態をとることができる。
【手続補正６】
【補正対象書類名】明細書
【補正対象項目名】００１１
【補正方法】変更
【補正の内容】
【００１１】
第１の形態は、誘電体フィルムと、誘電体フィルム上に配置される少なくとも１つのアンテナ素子と、誘電体フィルム上に配置され、アンテナ素子に接続する給電端子と、給電素子の周囲に設けられ、給電素子に接続されるコネクタの接続位置を示すマークとを備えることを特徴とするフィルムアンテナである。
【手続補正７】
【補正対象書類名】明細書
【補正対象項目名】００１２
【補正方法】変更
【補正の内容】
【００１２】
第２の形態は、誘電体フィルムと、誘電体フィルム上に配置される少なくとも１つのアンテナ素子と、誘電体フィルム上に配置され、アンテナ素子に接続する給電端子と、給電素子を保護する保護シートとを備え、保護シートは、給電素子に接続されるコネクタの位置合わせ用の切り抜き部を備えることを特徴とするフィルムアンテナである。
【手続補正８】
【補正対象書類名】明細書
【補正対象項目名】００１３
【補正方法】変更
【補正の内容】
【００１３】
第３の形態は、第１又は第２の形態のフィルムアンテナと、給電端子に接続されるコネクタと、コネクタに信号を供給、又はコネクタからの信号を外部に出力するケーブルとを備えることを特徴とするアンテナ装置である。
【手続補正９】
【補正対象書類名】明細書
【補正対象項目名】００１４
【補正方法】変更
【補正の内容】
【００１４】
第４の形態は、第３の形態のアンテナ装置と、ケーブルに信号を供給、又はケーブルからの信号を処理する処理装置とを備える処理装置である。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】変更
【補正の内容】
【００２５】
本発明によれば、フィルム上にアンテナが組み込まれ、このアンテナの給電端子に、ナビゲーション装置にアンテナ信号を導くケーブルの先端に設けられたコネクタが接続するフィルムアンテナにおいて、フィルム上のコネクタの接続位置を正確に示すマークを給電端子の周囲に施した事により、コネクタを正確にフィルム上の給電端子に接続することができる。
【手続補正２１】
【補正対象書類名】明細書
【補正対象項目名】００２６
【補正方法】変更
【補正の内容】
【００２６】
本発明によれば、フィルム上にアンテナが組み込まれ、露出するアンテナ素子の端子部分に、保護シートが取り外し可能に仮接着されており、前記保護シートを剥がした後に、ナビゲーション装置にアンテナ信号を導くケーブルの先端に設けられたコネクタを接続するフィルムアンテナにおいて、保護シートにコネクタの位置合わせ用の切り抜き部を設け、保護シートのフィルム上への仮接着時に、この切り抜き部をコネクタのフィルム上への接続位置に対応させて保護シートをフィルム上に仮接着したので、切り抜き部を剥がした跡にコネクタを接続すれば、コネクタを正確にフィルム上の給電端子に接続することができる。
【手続補正２２】
【補正対象書類名】明細書
【補正対象項目名】００２７
【補正方法】変更
【補正の内容】
【００２７】
また、本発明によれば、フィルム上のアンテナの給電端子の周囲に施したマークにより、ＧＰＳアンテナの給電端子にナビゲーション部に接続されるアンテナケーブルの先端部に設けられたコネクタが正確に接続されるので、該アンテナケーブルを介してＧＰＳ衛星からの信号が確実にナビゲーション部に入力されるので、位置を検出して経路案内を行うナビゲーション部の動作性能が損なわれない。